(57)【特許請求の範囲】
【請求項１】
基準タイヤと、比較タイヤとをテスト車両を用いて、ＯＮセンター操舵力、ハンドル復元性、及び、追操舵操舵力の項目を含む実車走行テストを行い、
前記基準タイヤと、前記比較タイヤとを比較して、前記ＯＮセンター操舵力が軽く、前記ハンドル復元性が大、かつ、前記追操舵操舵力が重い一方のタイヤが、他方のタイヤに比べて、単体台上試験のセルフアライニングトルクが大であると推定することを特徴とするタイヤ特性の検出方法。
【請求項２】
基準タイヤと、比較タイヤとをテスト車両を用いて、ハンドル角３°のヨー応答、及び、旋回中の操舵角の項目を含む実車走行テストを行い、
前記基準タイヤと、前記比較タイヤとを比較して、前記ハンドル角３°のヨー応答が高く、かつ、前記旋回中の操舵角が小となる一方のタイヤが、他方のタイヤに比べて、単体台上試験のコーナリングパワーが大であると推定することを特徴とするタイヤ特性の検出方法。
【請求項３】
基準タイヤと、比較タイヤとをテスト車両を用いて、レーンチェンジの横Ｇ、及び、旋回速度の項目を含む実車走行テストを行い、
前記基準タイヤと、前記比較タイヤとを比較して、前記レーンチェンジの横Ｇが高く、かつ、前記旋回速度が早い一方のタイヤが、他方のタイヤに比べて、単体台上試験のコーナリングフォースが大であると推定することを特徴とするタイヤ特性の検出方法。
【請求項４】
基準タイヤと、比較タイヤとをテスト車両を用いて、ロール角、及び、段差乗り下げＧの項目を含む実車走行テストを行い、
前記基準タイヤと、前記比較タイヤとを比較して、前記ロール角が小、かつ、前記段差乗り下げＧが小さい一方のタイヤが、他方のタイヤに比べて、単体台上試験の縦バネ定数が高いと推定することを特徴とするタイヤ特性の検出方法。
【発明の詳細な説明】
【技術分野】
【０００１】
本発明は、単体台上試験によるタイヤ特性を、実車走行テストによる結果と対比して前記タイヤ特性を見直しつつタイヤ走行特性を向上しうるタイヤ特性の検出方法に関する。
【背景技術】
【０００２】
車両用タイヤは、いわゆる乗用車（セダン）、スポーツ車、スポーツ多目的車（ＳＵＶ）、ミニバン、ワゴンの他、トラック・バスなどの重車両用タイヤなどの車両に応じたタイヤが用いられ又タイヤはそれらの車両にそれぞれ適した乃至車両メーカが課題とする走行特性を有することが不可欠である。そのために、特許文献１、特許文献２などはシミュレーションによってタイヤの仕様とともにタイヤ特性、タイヤ走行特性を検討することを提案している。
【０００３】
【特許文献１】特開平１１−１５３５２０号公報
【特許文献２】特開２００２−３５６１０６号公報
【０００４】
しかしながら、これらの提案はシミュレーション法によるタイヤの設定に関し、タイヤは、そのタイヤを具体化し試作乃至製作したタイヤ自体により性能確認が行われる。又このとき、タイヤ開発においては単体台上試験（ドラム試験）によってタイヤ特性を計測するとともに、車両とタイヤとのマッチングを検討するために、タイヤの走行特性を評価する実車評価（実車走行テスト）が行われる。この実車走行テストは、単体台上試験によるタイヤ特性評価に比して重要とされる。
【発明の開示】
【発明が解決しようとする課題】
【０００５】
しかしながら、従来、単体台上試験によるタイヤ特性評価と実車走行テストによるタイヤ走行特性（実車評価）とは相関が比較的小であり、単体台上試験ではタイヤ走行特性を十分には把握されていない。又タイヤの回転、荷重変動量、温度、その他の走行条件を、単体台上試験で再現するのは困難であり、従って単体台上試験においてその試験機にて予め変化をもたせた範囲の所定の設定される条件でテストすることにもなる由来すると考えられる。又実車走行テストでは、テスト者（ドライバー）の官能評価が主体となることにもより、さらに官能テストを主とするため、この実車走行テストの結果を直ちに具体的なタイヤの仕様として反映することも困難を伴う。とはいえ、前記のように、実車走行テストによるタイヤ走行性能の単体台上試験のタイヤ特性に比して優先される。
【０００６】
このように実車走行テストでは車両とタイヤとのマッチングを評価し、単体台上試験では前記基本特性を評価しているが、比較的測定が容易にかつ客観的に測定しうる単体台上試験による測定結果を、実車走行テストによるタイヤ走行特性に関連付けて検証し、この単体台上試験による具体的数値に基づいてタイヤ仕様を調整することが、実車テストにおけるタイヤ走行性能の設定を容易として、タイヤ走行性能を高め、車両特性に適合させうること、ねらいの走行特性をうることが容易となること、そのためには、両者の相関性を向上するのがよいことを着想した。
【０００７】
このとき、単体台上試験によるタイヤ特性の基本性能として、基準タイヤと、比較タイヤとにおいてセルフアライニングトルク、コーナリングパワー、コーナリングフォース、縦バネ定数を選択し、タイヤ走行性能として、ＯＮセンター操舵力、ハンドル復元性、追操舵操舵力、ハンドル角３°のヨー応答、旋回中の操舵角、レーンチェンジの横Ｇ、旋回速度、追操舵操舵力、段差乗り下げＧを選択すると係る相関性を見出すことができ相関を向上させうることを見出した。
【０００８】
このように、本発明は基準タイヤと、比較タイヤとを用いるとともに単体台上試験と実車走行テストとを関連づけ、好ましいタイヤ走行特性をうる最適なタイヤ仕様を設定しうるタイヤ特性の検出方法の提供を目的としている。
【課題を解決するための手段】
【０００９】
本件請求項１に係る発明は、タイヤ特性の検出方法であって、基準タイヤと、比較タイヤとをテスト車両を用いて、ＯＮセンター操舵力、ハンドル復元性、及び、追操舵操舵力の項目を含む実車走行テストを行い、前記基準タイヤと、前記比較タイヤとを比較して、前記ＯＮセンター操舵力が軽く、前記ハンドル復元性が大、かつ、前記追操舵操舵力が重い一方のタイヤが、他方のタイヤに比べて、単体台上試験のセルフアライニングトルクが大であると推定することを特徴としている。
【００１０】
又請求項２に係る発明は、基準タイヤと、比較タイヤとをテスト車両を用いて、ハンドル角３°のヨー応答、及び、旋回中の操舵角の項目を含む実車走行テストを行い、前記基準タイヤと、前記比較タイヤとを比較して、前記ハンドル角３°のヨー応答が高く、かつ、前記旋回中の操舵角が小となる一方のタイヤが、他方のタイヤに比べて、単体台上試験のコーナリングパワーが大であると推定すること、請求項３に係る発明は、基準タイヤと、比較タイヤとをテスト車両を用いて、レーンチェンジの横Ｇ、及び、旋回速度の項目を含む実車走行テストを行い、前記基準タイヤと、前記比較タイヤとを比較して、前記レーンチェンジの横Ｇが高く、かつ、前記旋回速度が早い一方のタイヤが、他方のタイヤに比べて、単体台上試験のコーナリングフォースが大であると推定すること、及び請求項４に係る発明は、基準タイヤと、比較タイヤとをテスト車両を用いて、ロール角、及び、段差乗り下げＧの項目を含む実車走行テストを行い、前記基準タイヤと、前記比較タイヤとを比較して、前記ロール角が小、かつ、前記段差乗り下げＧが小さい一方のタイヤが、他方のタイヤに比べて、単体台上試験の縦バネ定数が高いと推定することをそれぞれ特徴としている。
【発明の効果】
【００１１】
請求項１〜４に係る発明では、基準タイヤと、比較タイヤとをテスト車両を用いた実車走行テストによりセルフアライニングトルク、コーナリングパワー、コーナリングフォース、縦バネ定数のいずれかを求めるとともに、それらを基準タイヤと、比較タイヤのセルフアライニングトルク、コーナリングパワー、コーナリングフォース、縦バネ定数の単体台上試験の差異と比較することにより、それらの相関を検定でき、比較的具体的に設定しうる単体台上試験の要件についての評価を行うことにより、好ましいタイヤ走行性能の、車両に応じた特性のタイヤを得ることが容易、かつ可能となる。
【００１２】
又請求項１〜４に係る発明では、前記実車走行テストの各項目により単体台上試験の前記項目の値の修正が容易となり、具体的にタイヤ仕様を向上することが容易となり、またタイヤ仕様の設定に際しては前記シミュレーション法などを採用できる。
【００１３】
即ち，換言すると、本発明は、車両とのマッチング評価とは異なり、単体台上試験によるタイヤ特性を、実車走行テストによるタイヤ走行特性の関係に、力学と経験、実験により関連付けして、タイヤの基本的特性、即ちタイヤ特性を想定し評価することを意図している。
【発明を実施するための最良の形態】
【００１４】
以下本発明の実施の一形態を図面に基づき説明する。
本発明は、タイヤ特性の検出方法であって、基準タイヤと、比較タイヤとをテスト車両を用いて、図１に示すように、一方、ＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧのいずれかの複数項目、好ましくは全ての項目を含むタイヤ走行特性の測定を実車走行テストにより行い、他方、単体台上試験による基準タイヤと、比較タイヤのセルフアライニングトルク、コーナリングパワー、コーナリングフォース、縦バネ定数の差異を求め、その間の相関性を求めたことを特徴としている。なお、ＯＮセンター操舵力、ハンドル復元性、追操舵操舵力、ハンドル角３°のヨー応答、旋回中の操舵角、レーンチェンジの横Ｇ、旋回速度、追操舵操舵力、段差乗り下げＧに加えて、車両の前後加速度、ヨーレート収斂性、速度（タイヤ回転数）、ロール剛性（左右荷重移動量）、アライメント（接地形状）、走行抵抗（温度）などを付加して、単体台上試験により得られる他のタイヤ特性とも関連付けして用いることもできる。
【００１５】
ここで
(1)ＯＮセンター操舵力とは車両が動く前の操舵力に着眼したものであり、１Ｈｚ前後でハンドルを操作して、車両が動く前の操舵力の重さにより評価される。
(2)ハンドル復元性はハンドル戻り量に着眼したものであり、８０ｋｍ／ｈ前後で一定走行中に、操舵角３０度以内からのハンドル復元角により評価される。
(3)追操舵操舵力は操舵力の勾配に着眼したものであり、Ｒ３０〜２００ｍで、一定速、０．３Ｇで旋回中から２Ｈｚの追操舵を入力して、その時の操舵力及び操舵力の勾配により評価される。
(4)ハンドル角３°のＹＡＷ応答はＹＡＷ応答ＧＡＩＮに着眼したものであり、３Ｈｚ前後でハンドルを操作して、ＹＡＷ応答／ハンドル角により評価される。
(5)旋回中の操舵角は操舵角に着眼したものであり、Ｒ５０〜２００ｍの範囲で走行中の一定の操舵角により評価される。
(6)レーンチェンジの横Ｇは横Ｇの大きさに着眼したものであり、レーンチェンジ（Ｌ／Ｃ）において、前後輪に同時に０．５Ｇの入力が加わる入力を行い、その時の横Ｇの大きさにより評価される。
(7)旋回速度は速度に着眼したものであり、Ｒ３０〜２００ｍでの旋回速度により評価される。
(8)ロール角はロールの大きさに着眼したものであり、０．２ＧでＬ／Ｃを行い、その時のロール角の大きさにより評価される。
(9)段差乗り下げＧは上下加速度に着眼したものであり、１５ｍｍの段差を速度６０ｋｍ／ｈで通過して、その時の上下Ｇにより評価される。
【００１６】
係る項目を実車走行テストにおける評価項目として選択したのは、あまりに多くの項目を選択するときには、テストドライバーへの測定についての過度の負担となり、かえってデータを不安定とする。なおＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧの評価項目は、単体台上試験におけるタイヤ特性、即ちセルフアライニングトルク、コーナリングパワー、コーナリングフォース、縦バネ定数の差異を推定し評価するのに適しているのを見出したため、これらの項目を例証している。
【００１７】
又実車走行テストにおいては、車両は、そのショックアブソーバ、タイヤのアライメントを、自動車メーカが車両仕様として設定する正規の数値に調整する。さらに評価荷重も標準時積載・乗車重量とし、かつ左右重量を均等とする。なお測定するテスト車両は一台でもよく、又車両の全ての車輪に評価するタイヤを装着する。
【００１８】
又実車走行テストは、訓練されたドライバーの官能テストにより評価する。そのためには、いわゆるテストドライバーであって、前記したＯＮセンター操舵力、ハンドル復元性、追操舵操舵力、ハンドル角３°のヨー応答、旋回中の操舵角、レーンチェンジの横Ｇ、旋回速度、追操舵操舵力、段差乗り下げＧの運動性能（運動現象）を感性により評価付けしうる能力を少なくとも具える者を選択する。評価は例えば評価点を１〜１０点とし、０．５点単位で評価する２０段階、１点単位で評価する１０段階の評価法など、少なくとも５段階以上、３０段階以下程度の段階評価とする。５段階よりも少ないとき、単体台上試験のタイヤ特性との関連評価が粗となり、相関評価も粗くなる。又３０段階を越えることもテストドライバーに過酷となる。またテストドライバーは、一人でもよいが好ましくは３人程度の複数人を選択して評価値を求め、実車走行テストの評価としてその平均値とするのもよい。なお、通常アスファルト路面のテストコースを用いるが、種々な走行条件を測定しうるテストコースも選択できる。
【００１９】
さらに、実車走行テストは、走行に伴うタイヤ発熱状態、速度（旋回させる場合を含む）、実車状態の荷重移動、接地形状により変化し、係る条件を変えて前記ＯＮセンター操舵力、ハンドル復元性、追操舵操舵力、ハンドル角３°のヨー応答、旋回中の操舵角、レーンチェンジの横Ｇ、旋回速度、追操舵操舵力、段差乗り下げＧの運動性能（運動現象）、即ちタイヤ走行特性を評価するのが好ましい。
【００２０】
又実車走行テストは、基準タイヤと、比較タイヤとについて同一のテスト車両により行う。ここで基準タイヤとは、測定に際して単に基準とするタイヤであって、既に生産された既販のタイヤでもよく、又シミュレーション法などを用いて好ましいはずのタイヤとして生産したタイヤの内の１つでもよい。これに対して比較タイヤは、通常、車両メーカの希望により、シミュレーション法などを用いて試作、乃至製作した好ましいはずのタイヤであるのが通常であり、その比較タイヤは前記基準タイヤと対比することにより、実車走行テストによる前記した運動性能（タイヤ走行特性）により、単体台上試験のタイヤ特性と比較して好ましいタイヤ特性にタイヤ仕様を改める。
【００２１】
前記単体台上試験により測定しうるタイヤ特性として、前記セルフアライニングトルク（ＳＡＴ）、コーナリングパワー（ＣＰ）、コーナリングフォース（ＣＦ）、縦バネ定数を選択する。
【００２２】
ここでセルフアライニングトルク（ＳＡＴ）とは、周知のように、トレッド部の変形が接地部後半のトレッドの変形が前半よりも大きくなり、横力の分布は接地面の後半に片寄ることによりタイヤの垂直軸回りにスリップ角を小さくする方向のトルク（元にもどそうとする）をいう。又コーナリングフォース（ＣＦ）とは、スリップ角αで横すべりしながら自由転動しているタイヤに発生している力の転動抵抗が小さいものとして省略して、タイヤの横変形によって発生するタイヤ軸方向の横力の進行方向に直角の成分をいい、又コーナリングパワーとは、コーナリングスティフネスが、スリップ角０（原点）におけるコーナリングフォースの立ち上がりの勾配であって、摩擦係数とは無関係であり、通常、スリップ角１°におけるコーナリングフォースを測定して求められる。又縦バネ定数とは、路面上でタイヤに荷重をかけたときの、荷重と撓み曲線の勾配であって、上下剛性Ｇｚともいい、かつこれらの大小は車両操縦、走行時のフィーリング、好みなどの設定する車両条件、車両特性に応じて選択される。
【００２３】
タイヤ特性としてセルフアライニングトルク（ＳＡＴ）を選択したのは、直進性と操縦安定性と関連づけしやすく、コーナリングパワー（ＣＰ）を選択したのは、フロントタイヤとリヤタイヤのコーナリングパワー（ＣＰ）比から見られる車の応答性と関連づけられる車の動きをコントロールできることにより、又コーナリングフォース（ＣＦ）を選択したのは、セルフアライニングトルク（ＳＡＴ）、コーナリングパワー（ＣＰ）への寄与が、構造によるかコーナリングフォース（ＣＦ）（即ちグリップ力Ｇ＊）なのかを求め、かつ縦バネ定数は乗心地とロールの大きさを求めるために有用であるからといえる。なおタイヤ特性はさらに付加することもできる。
【００２４】
又単体台上試験は、タイヤを正規リムに組み込み、正規内圧、かつテスト車両において付加される荷重を負荷させて行う。なお正規荷重により測定することもできる。車両メーカの指定があるときには、その条件で行う。なお前記「正規リム」とは、タイヤが基づいている規格を含む規格体系において、当該規格がタイヤ毎に定めるリムであり、例えばＪＡＴＭＡであれば標準リム、ＴＲＡであれば "Design Rim" 、ＥＴＲＴＯであれば "Measuring Rim" とする。
【００２５】
また、「正規内圧」とは、タイヤが基づいている規格を含む規格体系において、各規格がタイヤ毎に定めている空気圧であり、ＪＡＴＭＡであれば最高空気圧、ＴＲＡであれば表 "TIRE LOAD LIMITS AT VARIOUS COLD INFLATION PRESSURES" に記載の最大値、ＥＴＲＴＯであれば "INFLATION PRESSURE" とするが、タイヤが乗用車用である場合には１８０ｋＰａとする。さらに「正規荷重」とは、タイヤが基づいている規格を含む規格体系において、各規格がタイヤ毎に定めている荷重であり、ＪＡＴＭＡであれば最大負荷能力、ＴＲＡであれば表 "TIRE LOAD LIMITS AT VARIOUS COLD INFLATION PRESSURES" に記載の最大値、ＥＴＲＴＯであれば "LOAD CAPACITY" であるが、タイヤが乗用車用の場合には前記荷重の８０％に相当する荷重とする。
【００２６】
車両メーカの特別の指示があるときには、その条件でテストする。又本発明のタイヤ特性の検出方法において、基準タイヤと、比較タイヤに関して、単体台上試験により、それぞれ前記セルフアライニングトルク（ＳＡＴ）、コーナリングパワー（ＣＰ）、コーナリングフォース（ＣＦ）、縦バネ定数を測定する。また基準タイヤと、比較タイヤをテスト車両の全ての車輪に付けた場合において、車両走行時におけるＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧを１人、好ましくは複数人のテストドライバーの官能評価により採点し評価する。
【００２７】
これらの単体台上試験のタイヤ特性と実車走行テストのタイヤ走行特性の各項目について、図１に略記するように、実車走行テストと単体台上試験に関して、「関連基準」として、
ａ）前記ＯＮセンター操舵力が軽く、ハンドル復元性が大かつ追操舵操舵力が重いタイヤのセルフアライニングトルク（ＳＡＴ）が大であると推定し判定しうること（なお、ハンドル復元性が小かつ追操舵操舵力が軽いタイヤのセルフアライニングトルク（ＳＡＴ）は小と判定する）、
ｂ）前記ハンドル角３°のヨー応答が高く、かつ旋回中の操舵角が小のタイヤのコーナリングパワー（ＣＰ）が大であると推定し判定しうること（逆の関係の場合はコーナリングパワー（ＣＰ）が小であると判定しうる）、
ｃ）前記レーンチェンジ（Ｌ／Ｃ）の横Ｇが高く、かつ旋回速度が早いタイヤのコーナリングフォース（ＣＦ）が大と推定し判定しうること（逆の関係の場合は、コーナリングフォース（ＣＦ）が小と判定しうる）、また「前輪のＣＰ＞後輪のＣＰ」とも判定しうる。
ｄ）及び前記ロール角が小、かつ段差乗り下げＧが小さいタイヤの縦バネ定数（Ｇｚ）が高いと推定し判定しうること（逆の関係の場合は、タイヤの縦バネ定数（Ｇｚ）が低いと判定しうること）をそれぞれ見出している。
【００２８】
従って、例えば基準タイヤの場合の実車走行テストのタイヤ走行特性と、比較タイヤの場合の実車走行テストのタイヤ走行特性とを比較し、それらを前記「関連基準」に基づき、基準タイヤ、比較タイヤの単体台上試験の各項目の数値についてその妥当性を判断し、妥当であるときには、単体台上試験の相応する項目のタイヤ特性を調整した第２の比較タイヤを試作し、同様にテストする。
【００２９】
即ち、「関連基準」の例えば前記ａ）について述べると、比較タイヤのＯＮセンター操舵力が基準タイヤのＯＮセンター操舵力よりも「軽」く、比較タイヤのハンドル復元性が基準タイヤのハンドル復元性よりも「大」（即ち悪い）、かつ比較タイヤの追操舵操舵力が基準タイヤの追操舵操舵力よりも「重」い場合には、比較タイヤのセルフアライニングトルク（ＳＡＴ）が基準タイヤのセルフアライニングトルク（ＳＡＴ）よりも大となると推定しうることを見出した。例えばこの例において、単体台上試験による比較タイヤのセルフアライニングトルク（ＳＡＴａ）の測定値は、例えば３５Ｎ・ｍとすると基準タイヤのセルフアライニングトルク（ＳＡＴｓ）の測定値は例えば３０Ｎ・ｍとなるなどと、比較タイヤの場合が大となる。ゆえに比較タイヤ、基準タイヤについて、この場合には、前記タイヤ走行特性のＯＮセンター操舵力、ハンドル復元性、追操舵操舵力はセルフアライニングトルク（ＳＡＴ）を測定したとき両タイヤのタイヤ特性を推定し、両タイヤの相関性を推定、判断しうることが判明した。好ましいＯＮセンター操舵力、ハンドル復元性、追操舵操舵力をうるべく比較タイヤのセルフアライニングトルク（ＳＡＴ）を修正するためにタイヤ仕様を変更する。
【００３０】
このように、単体台上試験によるタイヤ特性を、実車走行テストによるタイヤ走行特性の関係に力学と経験、実験により関連付けして、タイヤの基本的特性、即ちタイヤ特性を想定し評価している。
【００３１】
他方、上記例において、比較タイヤと基準タイヤとの実車走行テストのＯＮセンター操舵力、ハンドル復元性、追操舵操舵力の関係は上記と変わらない（比較タイヤのＯＮセンター操舵力が基準タイヤのＯＮセンター操舵力よりも「軽」く、比較タイヤのハンドル復元性が基準タイヤのハンドル復元性よりも「大」、かつ比較タイヤの追操舵操舵力が基準タイヤの追操舵操舵力よりも「重」い）場合において、比較タイヤのセルフアライニングトルク（ＳＡＴ）の測定値が、基準タイヤのセルフアライニングトルク（ＳＡＴ）の測定値よりも小であるとする。このときには、前記「関連基準」に反することとなり、その原因を究明するため、再度測定して確認を行うか、精度が低いと判断してセルフアライニングトルク（ＳＡＴ）についてのタイヤ仕様の修正をしないこととする。
【００３２】
なお、前記「関連基準」ｂ）〜ｄ）の場合も同様であり、実車走行テストのそれぞれの項目の評価の結果により、「関連基準」ｂ）〜ｄ）に合わせて、前記セルフアライニングトルク（ＳＡＴ）と同様に、単体台上試験の他のコーナリングパワー（ＣＰ）、コーナリングフォース（ＣＦ）、タイヤの縦バネ定数（Ｇｚ）を調整した試作タイヤの製作を容易とする。
【００３３】
なお本発明の方法において、タイヤ走行特性の項目、単体台上試験の項目を適宜付加し又削除するなど、発明の範囲において種々変更しうる。
【実施例】
【００３４】
本発明のタイヤ特性の検出方法の実施のために、テスト車両として国産ＳＵＶ（      ４５００ｃｃ）を用い、前席に２名が着座し、後席を空席とした。また車両のショックアブソーバ、アライメントは車両メーカが正規とする値とし、その他の車両仕様も同様である。但し、テスト車両の左右重量は均等としている。
【００３５】
基準タイヤ、比較タイヤは、タイヤサイズがＰ２６５／５０Ｒ２０のオールシーズンタイヤである。リム、内圧、荷重等はこのタイヤの正規状態、即ちリムサイズは２０×８．５Ｊ、内圧は２３０ｋＰａとし、評価は、出願人の保有する岡山テストコースにて行った。なお、基準タイヤとは、従来からの出願人の取扱に係る市販タイヤであり、比較タイヤは、新たに試作したスペックの異なるタイヤを用いている。
【００３６】
又実車走行テストの評価項目は、前記のように、ＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧとする。又評価は、以下のように行う。
(1)ＯＮセンター操舵力については、この操舵力が軽い場合を高評価とする。
(2)ハンドル復元性については、復元性が大きい（戻りが良）の場合を高評価とする。
(3)追操舵操舵力については、操舵力が重い（大きい）場合を高評価とする。
(4)ハンドル角３°のヨー応答については、ＹＡＷ応答／ハンドル角が高い（大きい）場合を高評価とする。
(5)旋回中の操舵角については、操舵角が小さい場合を高評価とする。
(6)レーンチェンジの横Ｇについては、横Ｇが大きい場合を高評価とする。
(7)旋回速度については、早い場合を高評価とする。
(8)ロール角については、小さい場合を高評価とする。
(9)段差乗り下げＧについては、小さい場合を高評価とする。
これらを基準とする評価に基づき、前記のように図１に記載するセルフアライニングトルク、コーナリングパワー、コーナリングフォース、縦バネ定数についての推定を行い、単体台上試験の結果と対比する。
【００３７】
テストは３名のテストドライバーの１点〜１０点の官能評価による評価値を平均化して、小数点以下を０．５の単位で求めた。即ち平均値の下２桁において０．２５以上は小数点以下を０．５とし、０．２５よりも小のとき小数点以下を０として評価している。
【００３８】
又基準タイヤにおいて、評価値をさらに全て６．０点に置き換え、その置き換えに際しての変動値を、比較タイヤの評価値に正負で付加し、その結果を表１に示している（基準タイヤは６．０であるため、比較タイヤの場合のみを示している）。なお、基準タイヤを６．０としているため、比較タイヤは、６．５〜１０．０点であるとき、その評価項目について基準タイヤよりも優れており（高評価）、５．５〜１．０点であるとき劣り（低評価）、６．０は同評価となる。
【００３９】
【表１】
0005209950.tif 000002
【００４０】
さらに、基準タイヤ、及び比較タイヤについて、単体台上試験によるテストを行い、各タイヤのセルフアライニングトルク、コーナリングパワー、コーナリングフォース、縦バネ定数を求めた測定値を表２に示す。
【００４１】
【表２】
0005209950.tif 000003
【００４２】
表１に比較タイヤの、タイヤ断面高さを６点とするＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧの評価を記載している。この比較タイヤのこれらの項目についての評価点から、同表の「評価結果」の（評価内容）に記載している。これは前記した高評価とする条件に当てはめて判断している。
【００４３】
又「関連する単体台上試験項目」の欄の（関連基準）の行に、前記したＳＡＴを大と推定するときの条件、ＣＰが大きいと推定する場合の条件、ＣＦが大きいと推定するときの条件、縦バネ定数が高いと推定するときの条件を記載している。
【００４４】
さらに、表１の「評価結果」に示す基準タイヤＳのデータと、比較タイヤのデータとの同等、大、小から、「関連する単体台上試験項目」の「基準タイヤに対する比較タイヤの推定結果」に記載するセルフアライニングトルク、コーナリングパワー、コーナリングフォース、縦バネ定数の傾向が、実車走行テストのＯＮセンター操舵力、ハンドル復元性、追操舵操舵力、ハンドル角３°のヨー応答、旋回中の操舵角、レーンチェンジの横Ｇ、旋回速度、ロール角、段差乗り下げＧの評価項目から推定しうるのである。
【００４５】
ところで表２の「単体台上試験」のセルフアライニングトルク、コーナリングパワー、コーナリングフォース、縦バネ定数を求めた測定値を、基準タイヤ、比較タイヤについて対比するとき、表１の前記「基準タイヤに対する比較タイヤの推定結果」と一致していることが判る。
【００４６】
従って、本発明によると、以上の実施例に記載のように、好ましい実車走行テストにおけるタイヤ走行特性を、単体台上試験の結果に置き換えて、このタイヤ走行特性を調整することが可能となり、又比較的単体台上試験は試験装置により客観的に具体的に測定でき、かつ設計仕様に反映するのが容易である結果、好ましいタイヤ走行特性のタイヤを、基準タイヤのデータと対比しつつその改善変更を容易とする。
【図面の簡単な説明】
【００４７】
【図１】タイヤ走行テストでの測定項目の大小が単体台上試験の試験項目に及ぼす影響を推定する線図である。
【図１】
0005209950.tif 000004